(57)【要約】【課題】  バスバーにより電力回路が構成される回路構成体において、コネクタの設計の自由度を高く維持しながら、簡素な構造で外部回路を前記電力回路に接続する。【解決手段】  電力回路を構成するバスバー３２Ｂ，３２Ｃに、外部回路接続用のコネクタの端子６２が接続される。その具体的構造として、バスバー３２Ｂ，３２Ｃに貫通孔３２ｈが設けられ、この貫通穴３２ｈに前記コネクタ端子６２の圧入部６２ａが圧入されることによって、当該コネクタ端子６２とバスバー３２Ｂ，３２Ｃとが電気的に接続される。【選択図】      図６
2005080354.tif 000002
【特許請求の範囲】
【請求項１】
電力回路を構成する複数本のバスバーと、これらのバスバーのうちの特定のバスバーを外部回路に接続するための複数のコネクタ端子及びこれらのコネクタ端子を保持するハウジングを有するコネクタとを備えるとともに、前記特定のバスバーに貫通孔が設けられ、この貫通孔に前記コネクタ端子の端部が圧入されることにより当該コネクタ端子と前記バスバーとが電気的に接続されていることを特徴とする回路構成体。
【請求項２】
請求項１記載の回路構成体において、前記コネクタ端子は、前記バスバーの貫通孔の孔長よりも大きな軸長を有する圧入部を有し、この圧入部は前記貫通孔の内周面に圧接可能な断面形状を軸方向全域にわたって有することを特徴とする回路構成体。
【請求項３】
請求項２記載の回路構成体において、前記圧入部は複数の頂点を有する断面形状を有し、各頂点部分が前記バスバーの貫通孔の内周面に圧接することを特徴とする回路構成体。
【請求項４】
請求項１〜３のいずれかに記載の回路構成体において、前記コネクタ端子が複数段にわたって配列されていることを特徴とする回路構成体。
【請求項５】
請求項１〜４のいずれかに記載の回路構成体において、前記バスバーにより構成される電力回路の通電を制御する制御回路が組み込まれた制御回路基板を備え、この制御回路基板の少なくとも一方の面に、前記バスバーが略平面状に並べられた状態で接着されるとともに、前記コネクタ端子には前記制御回路基板に接続される基板接続端子が含まれていることを特徴とする回路構成体。
【請求項６】
請求項５記載の回路構成体において、前記制御回路基板に貫通孔が設けられ、この貫通孔に前記基板接続端子の端部が圧入されることにより当該基板接続端子と前記制御回路基板とが電気的に接続されていることを特徴とする回路構成体。
【請求項７】
請求項５記載の回路構成体において、前記制御回路基板に前記コネクタ端子が隙間をもって挿通可能な端子挿通孔が設けられ、この端子挿通孔に前記コネクタ端子が挿通された状態で当該コネクタ端子が特定のバスバーに設けられた貫通孔に圧入されていることを特徴とする回路構成体。
【請求項８】
請求項７記載の回路構成体において、前記制御回路基板の端子挿通孔に基板接続端子が挿通された状態で当該基板接続端子が特定のバスバーに設けられた貫通孔に圧入され、かつ、このバスバーが前記制御回路基板に組み込まれた制御回路に電気的に接続されていることを特徴とする回路構成体。
【請求項９】
請求項５記載の回路構成体において、前記制御回路基板に貫通孔が設けられ、この制御回路基板の貫通孔の位置と特定のバスバーに設けられた貫通孔の位置とが合致するように当該制御回路基板とバスバーとが接着されるとともに、双方の貫通孔に共通のコネクタ端子が圧入されていることを特徴とする回路構成体。
【請求項１０】
請求項９記載の回路構成体において、双方の貫通孔に圧入されるコネクタ端子として、前記バスバーにより構成される電力回路に電気的に接続されるコネクタ端子と前記制御回路基板に組み込まれた制御回路基板に電気的に接続される基板接続端子とが混在していることを特徴とする回路構成体。
【請求項１１】
請求項９または１０記載の回路構成体において、双方の貫通孔に圧入されるコネクタ端子として、前記バスバーにより構成される電力回路と前記制御回路基板に組み込まれた制御回路との双方に電気的に接続されるコネクタ端子が含まれていることを特徴とする回路構成体。
【請求項１２】
請求項９〜１１のいずれかに記載の回路構成体において、前記バスバーの貫通孔と制御回路基板の貫通孔が略同形であり、前記コネクタ端子は、軸方向に延びその全域にわたって断面形状が一様な圧入部を有し、この圧入部が前記バスバーの貫通孔と制御回路基板の貫通孔の双方に圧入されていることを特徴とする回路構成体。
【請求項１３】
請求項１〜１２のいずれかに記載の回路構成体において、前記バスバーの面のうち前記コネクタと反対側の面が放熱部材に絶縁層を介して接着されていることを特徴とする回路構成体。
【発明の詳細な説明】
【技術分野】
【０００１】
本発明は、車両に搭載された電源から電子ユニットに配電を行うためのパワーディストリビュータ等に用いられる回路構成体に関するものである。
【背景技術】
【０００２】
従来、共通の車載電源から各電子ユニットに電力を分配する手段として、複数枚のバスバー基板を積層することにより配電用回路を構成し、これにヒューズやリレースイッチを組み込んだ電気接続箱が一般に知られている。
【０００３】
さらに近年は、前記配電用回路等を構築する手段として、特許文献１に記載される回路構成体が開発されるに至っている。この回路構成体は、電力回路を構成する複数のバスバーが略同一平面上に配列されたものであり、さらに、これらのバスバーが制御回路基板の片面に接着されることによって、回路構成体全体の薄型化が可能となっている。
【特許文献１】特開２００３−１６４０３９号公報
【発明の開示】
【発明が解決しようとする課題】
【０００４】
前記のような回路構成体では、その電力回路を外部回路と接続するためのコネクタを設ける必要がある。
【０００５】
このようなコネクタの具体的構造として、前記特許文献１には、所定のバスバーの端部を略直角に折り起こしてコネクタ端子とし、その周囲にコネクタハウジングを配設したものが記載されているが、このようにバスバーの端部をそのままコネクタ端子として用いる構造では、構造の簡素化が可能である反面、当該コネクタの設計について高い自由度が得られにくいという不都合がある。
【０００６】
具体的に、前記コネクタの端子形状は、必然的にバスバーの形状に制約を受けることになり、例えばコネクタ端子の断面形状としてバスバーの断面形状から著しくかけ離れた形状を設定することは難しい。また、コネクタ端子の配列もバスバーの配列に制約を受けることになり、例えばコネクタ端子を複数段にわたって配列することは、事実上困難である。
【０００７】
本発明は、このような事情に鑑み、コネクタの設計の自由度を高く維持しながら、簡素な構造で外部回路をバスバーにより構成された電力回路に接続することができる回路構成体を提供することを目的とする。
【課題を解決するための手段】
【０００８】
前記課題を解決するための手段として、本発明は、電力回路を構成する複数本のバスバーと、これらのバスバーのうちの特定のバスバーを外部回路に接続するための複数のコネクタ端子及びこれらのコネクタ端子を保持するハウジングを有するコネクタとを備えるとともに、前記特定のバスバーに貫通孔が設けられ、この貫通孔に前記コネクタ端子の端部が圧入されることにより当該コネクタ端子と前記バスバーとが電気的に接続されているものである（請求項１）。
【０００９】
この回路構成体において、前記コネクタ端子は、前記貫通孔内に圧入可能な形状を有するものであればよいが、前記バスバーの貫通孔の孔長よりも大きな軸長を有する圧入部を有し、この圧入部は前記貫通孔の内周面に圧接可能な断面形状を軸方向全域にわたって有するものが、好適である（請求項２）。
【００１０】
その場合、前記圧入部は複数の頂点を有する断面形状を有し、各頂点部分が前記バスバーの貫通孔の内周面に圧接するものであることが、より好ましい（請求項３）。
【００１１】
本発明では、前記コネクタ端子を複数段にわたって配列することも可能である（請求項４）。
【００１２】
本発明では、前記バスバーにより構成される電力回路の通電を制御する制御回路が組み込まれた制御回路基板を備え、この制御回路基板の少なくとも一方の面に、前記バスバーが略平面状に並べられた状態で接着されるとともに、前記コネクタ端子には前記制御回路基板に接続される基板接続端子が含まれていることが、より好ましい（請求項５）。
【００１３】
その場合、例えば、前記制御回路基板に貫通孔が設けられ、この貫通孔に前記基板接続端子の端部が圧入される構成によって、当該基板接続端子と前記制御回路基板とを電気的に接続することが可能である（請求項６）。
【００１４】
また、前記制御回路基板に前記コネクタ端子が隙間をもって挿通可能な端子挿通孔が設けられ、この端子挿通孔に前記コネクタ端子が挿通された状態で当該コネクタ端子が特定のバスバーに設けられた貫通孔に圧入されている構成によって、前記コネクタ端子とバスバーとの接続を行うことが可能であり（請求項７）、さらに、前記制御回路基板の端子挿通孔に基板接続端子が挿通された状態で当該基板接続端子が特定のバスバーに設けられた貫通孔に圧入され、かつ、このバスバーが前記制御回路基板に組み込まれた制御回路に電気的に接続されている構成とすることもできる（請求項８）。
【００１５】
また、前記制御回路基板に貫通孔が設けられ、この制御回路基板の貫通孔の位置と特定のバスバーに設けられた貫通孔の位置とが合致するように当該制御回路基板とバスバーとが接着されるとともに、双方の貫通孔に共通のコネクタ端子が圧入されている構成も好適である（請求項９）。その場合、双方の貫通孔に圧入されるコネクタ端子として、前記バスバーにより構成される電力回路に電気的に接続されるコネクタ端子と前記制御回路基板に組み込まれた制御回路基板に電気的に接続される基板接続端子とが混在していてもよく（請求項１０）、また、前記バスバーにより構成される電力回路と前記制御回路基板に組み込まれた制御回路との双方に電気的に接続されるコネクタ端子を含まれていてもよい（請求項１１）。いずれの場合も、前記バスバーの貫通孔と制御回路基板の貫通孔が略同形であり、前記コネクタ端子は、軸方向に延びその全域にわたって断面形状が一様な圧入部を有し、この圧入部が前記バスバーの貫通孔と制御回路基板の貫通孔の双方に圧入されている構造が好適である（請求項１２）。
【００１６】
また本発明では、前記バスバーの面のうち前記コネクタと反対側の面が放熱部材に絶縁層を介して接着されていることが、より好ましい（請求項１３）。
【発明の効果】
【００１７】
請求項１記載の回路構成体によれば、各バスバーにはこれと別部材のコネクタ端子が接続されるので、当該コネクタ端子を含めたコネクタの設計について高い自由度が得られる。例えば、請求項４記載のように前記コネクタ端子を複数段にわたって配列するといったことも可能になる。しかも、前記コネクタ端子は特定のバスバーに設けられた貫通孔に圧入されることによって当該バスバーと電気的に接続されるので、特別な接続部材やはんだ付けを要しない簡素な構造で、前記バスバーにより構成される電力回路に前記コネクタを通じて外部回路を接続することができる。
【００１８】
請求項２記載の回路構成体では、コネクタ端子の圧入部が前記バスバーの貫通孔の孔長よりも大きな軸長を有し、かつ、前記貫通孔の内周面に圧接可能な断面形状を軸方向全域にわたって有しているので、当該圧入部とバスバーの貫通孔内周面との安定した接触が当該貫通孔の軸方向全域にわたって確保され、これにより接続信頼性が高められる。
【００１９】
さらに、請求項３記載の回路構成体では、前記圧入部の各頂点部分が前記バスバーの貫通孔の内周面に圧接するものであるため、例えば圧入部の外周面全体がバスバーの貫通孔の内周面に圧接する構造に比べて当該貫通孔への圧入部の圧入抵抗が小さく、しかも、当該圧入部とバスバー貫通孔内周面との接触を確実に得ることができる。
【００２０】
請求項５記載の回路構成体では、前記バスバーが、これらのバスバーにより構成される電力回路の通電を制御する制御回路が組み込まれた制御回路基板に略平面状に並べられた状態で接着されているので、電力回路とその制御回路とを併有する回路構成体を薄型の構造で構築することができる。そして、前記コネクタ端子に前記制御回路基板に接続される基板接続端子を含ませることにより、前記コネクタを利用して制御回路も外部回路に接続することが可能になる。
【００２１】
ここで、請求項６記載の回路構成体では、前記制御回路基板に設けられた貫通孔に前記基板接続端子の端部を圧入するだけの簡単な構造で、当該基板接続端子と前記制御回路基板とを電気的に接続することができる。
【００２２】
また、請求項７記載の回路構成体では、前記制御回路基板に設けられた端子挿通孔にコネクタ端子を挿通するようにして当該端子を特定のバスバーの貫通孔に圧入することにより、前記制御回路基板の存在にかかわらず前記コネクタ端子を特定のバスバーに電気的に接続することができる。
【００２３】
さらに、請求項８記載の回路構成体では、前記端子挿通孔に挿通した基板接続端子を特定のバスバーの貫通孔に圧入するとともに、このバスバーを前記制御回路基板に組み込まれた制御回路に電気的に接続することにより、当該バスバーを介して前記基板接続端子を前記制御回路に電気的に接続することができる。
【００２４】
一方、請求項９記載の回路構成体では、前記制御回路基板の貫通孔と特定のバスバーの貫通孔の双方に共通のコネクタ端子を圧入することにより、簡素な構造で当該コネクタ端子と制御回路基板またはバスバーとの接続を効率良く行うことができる。
【００２５】
具体的に、請求項１０記載の回路構成体では、前記バスバーにより構成される電力回路に電気的に接続されるコネクタ端子と前記制御回路基板に組み込まれた制御回路に電気的に接続される基板接続端子とがともに双方の貫通孔に圧入される構造とすることにより、これらの端子の圧入態様を統一して構造の簡素化及び工程の簡素化を図りながら、各端子をそれぞれ接続すべき回路（電力回路または制御回路）に接続することができる。
【００２６】
また、請求項１１記載の回路構成体では、双方の貫通孔にコネクタ端子を圧入するだけの簡素な構造で、当該コネクタ端子を前記電力回路と前記制御回路との双方に同時に接続することが可能になる。
【００２７】
ここで、請求項１２記載の回路構成体では、前記コネクタ端子の特定個所に軸方向全域にわたって断面形状が一様な圧入部が形成されているため、この圧入部を前記バスバーの貫通孔と制御回路基板の貫通孔の双方に圧入することにより、当該圧入部と貫通孔内周面との各貫通孔の軸方向全域にわたって安定した状態で接触させることができ、各回路とコネクタ端子との接続信頼性を高めることができる。
【００２８】
請求項１３記載の回路構成体では、前記バスバーの面のうち前記コネクタと反対側の面が放熱部材に絶縁層を介して接着されているため、前記コネクタの存在にかかわらず前記各バスバーを放熱部材に近接させて当該バスバーの冷却を効率良く行うことができる。
【発明を実施するための最良の形態】
【００２９】
本発明の好ましい実施の形態を図面に基づいて説明する。なお、ここに示す実施の形態は、共通の電源から複数の車載電子ユニットに電力を分配するパワーディストリビュータに本発明を適用したものであるが、本発明に係る回路構成体はそれ以外の各種回路を構成するものについて同様に適用し得るものである。
【００３０】
図１〜図４に示すパワーディストリビュータは、放熱板（放熱部材）１０と、ケース本体２０と、回路基板３０とを備え、前記回路基板３０には、基板実装型のリレースイッチ素子４０、電源入力用コネクタ５０、外部接続用コネクタ６０、半導体素子や抵抗素子といった回路素子等が設けられている。また、両コネクタ５０，６０上には前記回路基板３０を覆うカバー７０が装着されるようになっている。
【００３１】
前記放熱板１０は、アルミニウム合金等の熱伝導性に優れた金属により板状に形成されたものであり、その縁部からは側方に車体取付部１２が突出し、この車体取付部１２に取付用ボルトを挿通するためのボルト挿通孔１４が設けられている。そして、この放熱板１０の上面に前記ケース本体２０と回路基板３０とが共通の接着シート１８（図２では省略）を介して絶縁状態で接着されるようになっている。
【００３２】
ケース本体２０は、合成樹脂等の絶縁材料により成形されたものであり、前記回路基板３０の周りを囲む枠状をなしている。このケース本体２０の側部には、前記放熱板の車体取付部１２に重ね合わされる取付部カバー２２が形成され、この取付部カバー２２には前記ボルト挿通孔１４と合致するボルト挿通孔２４が設けられている。
【００３３】
回路基板３０は、電力回路（図例では車載電源から複数の負荷に電力を分配するための配電回路）と、この電力回路のオンオフを制御する制御回路とを併有している。前記電力回路は、複数枚のバスバーが同一平面上に配列されたバスバー層３２によって構成され、制御回路は薄肉のプリント回路基板３４に組み込まれており、このプリント回路基板３４の下面に前記各バスバー３２が接着層３６を介して絶縁状態で接着されている。
【００３４】
前記バスバー層３０におけるバスバーの具体的な配列を図５に示す。このバスバー層３０は、電源の入力を受け入れる入力用バスバー３２Ａと、外部回路に接続されて同回路に電力を出力する出力用バスバー３２Ｂと、入力用バスバー３２Ａと出力用バスバー３２Ｂとの間に適宜介設される中継用バスバー３２Ｒと、プリント回路基板３４に接続される基板接続用バスバー３２Ｃとを含んでいる。
【００３５】
入力用バスバー３２Ａには、後述の電源入力用コネクタ５０のコネクタ端子５２を接続するための貫通孔３２ａが穿設され、出力用バスバー３２Ｂには、後述の外部接続用コネクタ６０のコネクタ端子６２を接続するための貫通孔３２ｈが穿設されている。
【００３６】
基板接続用バスバー３２Ｃは、前記コネクタ端子６２をプリント回路基板３４側に接続するためのバスバーであり、この基板接続用バスバー３２Ｃにも、前記出力用バスバー３２Ｂに設けられた貫通孔３２ｈと同形の貫通孔３２ｈが穿設されている。また、特定の出力用バスバー３２Ｂは基板接続用バスバーも兼ねている。
【００３７】
プリント回路基板３４は、後述のリレースイッチ素子４０等のオンオフ制御すなわち前記電力回路の通電の制御を行う制御回路が印刷された制御回路基板であり、バスバー層３２の全体形状と近似した形状を有している。
【００３８】
なお、本発明にかかる制御回路基板には種々のものが適用可能であり、通常のプリント回路基板のほか、多層プリント回路基板、メタルコア回路基板、フレキシブルプリント回路基板、セラミック回路基板等の適用も可能である。
【００３９】
リレースイッチ素子４０は、ａ．入力用バスバー３２Ａと出力用バスバー３２Ｂとの間、ｂ．入力用バスバー３２Ａと中継用バスバー３２Ｒとの間、ｃ．中継用バスバー３２Ｒと出力用バスバー３２Ｂとの間、にそれぞれ介設されるものであり、各リレースイッチ素子４０は、図５に示すような接点側端子４２及びコイル側端子４４を有している。これらの端子４２，４４は、直方体状の素子本体の下面から突出し、かつ、左右両側に広がって略同一平面上に並べられた表面実装型のものとされている。そして、前記接点側端子４２が前記プリント回路基板３４に設けられた貫通孔を通じて適当なバスバー３２の裏面上に実装されるとともに、前記コイル側端子４４が前記プリント回路基板３４上に実装されている。この構造により、リレースイッチ素子４０のリレー接点がバスバー３２により構成された電力回路中に介在するとともに、同リレースイッチ３０のコイルの通電制御すなわち前記リレー接点の開閉制御が制御回路基板２０の制御回路によって行われるようになっている。
【００４０】
また、この実施の形態では、図５に示すように、前記リレースイッチ素子４０のほか、同じくスイッチング素子として機能するＦＥＴ４６やマイコン素子４８なども実装されている。
【００４１】
電源入力用コネクタ５０は、上段に配される電源接続側バスバー５１Ａ，５１Ｂと、下段に配される複数本のコネクタ端子５２とを備え、これらが水平方向に延びるハウジング５４によって保持されるとともに、当該ハウジング５４が前記ケース本体２０の上面に沿って当該上面上に固定されるようになっている。このハウジング５４には、その長手方向に並ぶ複数の凹部が形成され、各凹部はヒューズ素子８０（図４）が嵌着可能なヒューズ装着部５６を構成している。
【００４２】
電源接続側バスバー５１Ａ，５１Ｂは、それぞれ、前記ハウジング５４の長手方向と平行な方向に延び、同方向に相互離間した位置に配設されている。各バスバー５１Ａ，５１Ｂの外側端部には、前記ヒューズ装着部５６と反対側に突出して図略の電源コネクタに接続される電源接続タブ５１ａ，５１ｂが形成されるとともに、当該タブ５１ａ，５１ｂよりも内側の位置には前記各ヒューズ装着部５６内に突出するヒューズ接続部５１ｆが形成されている。
【００４３】
各基板接続端子５２は、その途中部分が直角に屈曲して略Ｌ字状をなしている。そして、その水平部分の端部が前記各ヒューズ装着部５６内に突出する一方、垂直部分の端部が前記入力用バスバー３２Ａの貫通孔３２ａに圧入されることにより当該バスバー３２Ａに電気的に接続されている。そして、前記各ヒューズ装着部５６内にヒューズ素子８０が装着されることにより、当該ヒューズ素子８０を介して前記電源接続側バスバー５１Ａ，５１Ｂの各ヒューズ接続部５１ｆと各基板接続端子５２とが電気的に接続されるようになっている。
【００４４】
外部接続用コネクタ６０は、多数本のコネクタ端子６２と、これらを保持するハウジング６４とを備えている。ハウジング６４は、前記ケース本体２０の上面に沿って固定可能な全体形状を有し、かつ、図略の外部コネクタのハウジングが側方から嵌入可能なフードを有している。
【００４５】
各コネクタ端子６２は、前記基板接続端子５２と同様、その途中部分が直角に屈曲して略Ｌ字状をなし、その水平部分の端部が前記フード内に突出する一方、垂直部分の端部が出力用バスバー３２Ｂまたは基板接続用バスバー３２Ｃの貫通孔３２ｈに圧入されるようになっている。
【００４６】
これらのコネクタ端子６２には、出力端子として前記電力回路に接続されるコネクタ端子６２（以下「出力端子」と称する。）と、プリント回路基板３４の制御回路に接続されるコネクタ端子６２（以下「基板接続端子」と称する。）とが混在しており、後者の基板接続端子は、後に詳述するように、前記基板接続用バスバー３２Ｃの貫通孔３２ｈもしくは基板接続用バスバーを兼ねる出力用バスバー３２Ｂの貫通孔３２ｈに圧入される。
【００４７】
このような構成において、電源入力用コネクタ５０の各電源接続側バスバー５１Ａ，５１Ｂの電源接続タブ５１ａ，５１ｂに入力された電力は、当該バスバー５１Ａ，５１Ｂの各ヒューズ接続部５１ｆに分配され、さらに各ヒューズ素子８０及びコネクタ端子６２を通じて各入力用バスバー３２Ａに入力される。各入力用バスバー３２Ａに入力された電力は、リレースイッチ素子４０やＦＥＴ４６を介して（経路によっては中継用バスバー３２Ｒも経由して）出力用バスバー３２Ｂに供給され、当該出力用バスバー３２Ｂに接続されている特定のコネクタ端子６２（出力端子）を通じて外部回路に出力される。
【００４８】
一方、外部回路から特定のコネクタ端子６２（基板接続端子）に入力された信号は、当該コネクタ端子６２が接続されている基板接続用バスバー３２Ｃからプリント回路基板３４の制御回路に入力される。
【００４９】
なお、前記コネクタ端子６２（基板接続端子）については、同端子６２をプリント回路基板３４に設けられた貫通孔に直接圧入することにより当該プリント回路基板３４の制御回路に電気的に接続するようにしてもよい。
【００５０】
次に、各コネクタ５０，６０と回路基板３０とを電気的に接続するための具体的な構造（貫通孔への端子圧入構造）について説明する。なお、入力用バスバー３２Ａの貫通孔３２ａへの電源入力用コネクタ５０のコネクタ端子５２の圧入構造は、出力用バスバー３２Ｂまたは基板接続用バスバー３２Ｃの貫通孔３２ｈへの外部接続用コネクタ６０のコネクタ端子６２の圧入構造と同一であるため、ここでは後者の構造についてのみ図６（ａ）（ｂ）を参照しながら説明する。
【００５１】
図６（ｂ）に示すように、この実施の形態において各貫通孔３２ｈは円形をなし、これらの貫通孔３２ｈのすぐ上方の位置ではプリント回路基板３４に当該貫通孔３２ｈよりも一回り大きい端子挿通孔３４ａが形成されている。一方、コネクタ端子６２の垂直部分の端部には、前記貫通孔３２ｈの孔長よりも大きな軸長を有し、かつ、その軸方向について断面形状が一様な圧入部６２が形成され、この圧入部６２が前記端子挿通孔３４ａに対して隙間をもって上から挿通された状態で貫通孔３２ｈ内に圧入されている。
【００５２】
この実施の形態において、前記圧入部６２ａの断面形状は図６（ｂ）の底面図に示すような矩形状をなし、当該矩形の４つの頂点部分６２ｃが貫通孔３２ｈの内周面に圧接するようになっている。このように複数の頂点部分６２ｃが局所的に貫通孔内周面と圧接する構造にすれば、例えば周方向全域にわたって圧入部外周面と貫通孔内周面とが圧接する構造に比べて圧入抵抗を著しく抑えながら、確実な接触を実現することが可能である。
【００５３】
ただし、本発明では圧入部の具体的な形状を問わず、例えば圧入部をくさび状にして貫通孔内に圧入するようにしてもよい。
【００５４】
さらに、前記基板接続用バスバー３２Ｃ及び特定の出力用バスバー３２Ｂ（基板接続用バスバーを兼ねる出力用バスバー３２Ｂ）に設けられた貫通孔３２ｈの近傍では、前記プリント回路基板３４にスルーホール接続部３４ｔが形成されている。このスルーホール接続部３４ｔは、基板本体に設けられた貫通孔の周縁に導体からなるスルーホールめっき３４ｐが形成されたもので、このスルーホールめっき３４ｐと前記基板接続用バスバー３２Ｃ（または特定の出力用バスバー３２Ｂ）の上面とにまたがるようにはんだ３７が供給されることにより、前記スルーホールめっき３４ｐと前記バスバー３２Ｃ（３２Ｂ）が電気的に接続されるようになっている。
【００５５】
この構造によれば、バスバー３２Ｂ（３２Ｃ）上でのプリント回路基板３４の存在にかかわらず、当該プリント回路基板３４に設けられた端子挿通孔３４ａを通じてコネクタ端子６２の圧入部６２ａを前記バスバー３２Ｂ（３２Ｃ）の貫通孔３２ｈに圧入することができ、さらに、コネクタ端子６２のうちの基板接続端子については、これを基板接続用バスバー３２Ｃ（または基板接続用バスバーを兼ねる出力用バスバー３２Ｂ）及び前記スルーホール接続部３４ｔを介してプリント回路基板３４の制御回路に電気的に接続することができる。
【００５６】
また、前記のようにコネクタ端子６２に出力端子と基板接続端子とが混在している場合、図７（ａ）（ｂ）に示すような構造を採用しても有効である。この構造では、バスバー３２Ｂ（３２Ｃ）の貫通孔３２ｈのすぐ上方の位置においてプリント回路基板３４に貫通孔３４ｈが設けられ、その内周面上に接続用めっき３４ｃが形成されており、その孔形状は前記貫通孔３２ｈの形状と略同等とされている。そして、双方の貫通孔３４ｈ，３２ｈに前記各コネクタ端子６２の圧入部６２ａが一括して圧入可能となるように当該圧入部６２ａの軸長が十分大きく設定されている。
【００５７】
このような構造によれば、コネクタ端子６２に出力端子と基板接続端子とが混在していてもこれらコネクタ端子６２の圧入部６２ａをそれぞれ統一された形態で貫通孔３４ｈ，３２ｈに圧入することができ、かつ、前記出力端子を電力回路に、基板接続端子を制御回路に、それぞれ接続することができる。
【００５８】
また、コネクタ端子６２に、前記電力回路と制御回路の双方に接続すべき端子が含まれている場合には、当該端子を簡単な構造で一度に両回路に接続することが可能になる。
【００５９】
勿論、前記バスバー側貫通孔３２ｈを図７（ｃ）に示すようにプリント回路基板３４側の貫通孔３４ｈよりも一回り大きくしてコネクタ端子６２をプリント回路基板側貫通孔３４ｈのみに圧入させるようにしても、当該コネクタ端子６２とプリント回路基板３４の制御回路とを電気的に接続することが可能である。
【００６０】
なお、この実施の形態に係るパワーディストリビュータは、例えば次のような方法によって製造することができる。
【００６１】
１）回路基板製造工程
バスバー層３２とプリント回路基板３４とを接着シート３６を介して接着することにより回路基板３０を製造する。その際、前記バスバー層３２の各バスバー同士を適当な箇所で図５に二点鎖線３１で示すブリッジ部によりつなぎ合せて一体化した形状のバスバー構成板を単一の金属板から打ち抜いておき、これにプリント回路基板３４を接着した後、前記ブリッジ部を切り離すようにすれば、各バスバーをそれぞれ独立してプリント回路基板３４に接着する場合に比べて製造効率は飛躍的に向上する。
【００６２】
２）取付け工程
前記回路基板３０上にリレースイッチ素子４０を半田実装により取付けるとともに、電源入力用コネクタ５０及び外部接続用コネクタ６０のコネクタ端子５２，６２の圧入部５２ａ，６２ａをプレスによってバスバー側貫通孔３２ａ，３２ｈにそれぞれ圧入することにより、当該コネクタ５０，６０の取付けを行う。
【００６３】
このように、各コネクタ端子５２，６２とバスバー層３２との接続を圧入によって行うことにより、はんだ付けを行うことなく、簡素な構造で回路構成体の構築が可能となる。また、バスバーとコネクタ端子５２，６２とは別部材であるので、バスバーの形状や配列にコネクタの設計が制約を受けにくく、例えば図示のようにコネクタ端子６２を複数段にわたって配列するといったことも可能になる。
【００６４】
３）他部品成形工程
前記回路基板３０とは別に、他の構成部品である放熱板１０、接着シート１８、ケース本体２０、及びカバー７０をそれぞれ成形しておく。
【００６５】
図例では、回路基板３０の裏面に突出するコネクタ端子６２の先端部との干渉を回避するために、放熱板１０に凹部１６Ａ，１６Ｂ，１６Ｃが形成され、これと同位置で接着シート１８に貫通孔１８ａ，１８ｂ，１８ｃが形成されている。
【００６６】
接着シート１８としては、絶縁性の高いエポキシ樹脂等を母材としてこれに熱伝導性に優れたフィラー（例えばアルミナ）を含有させたものが好適である。
【００６７】
４）組立工程
１）〜３）の工程で得られた回路体を図１とは上下逆にし（すなわちコネクタ５０，６０を下に向け）、その周囲にケース本体２０をセットするとともに、このケース本体２０と前記回路基板３０の上に接着シート１８を挟んで放熱板１０を載せ、このような重ね合せ状態を保持したまま全体を適当な温度まで加熱しかつプレス装置で上下に加圧して前記接着シート１８を完全硬化させることにより、当該接着シート１８を媒体として回路基板３０のバスバー３２及びケース本体２０と放熱板１０とを接着する。
【００６８】
その後、ケース本体２０のシール部材２６により囲まれた領域内にシリコーン樹脂等からなる液状の防水用樹脂を適当な高さ（例えば図２の二点鎖線３８の高さ）まで注入してゲル状に硬化させることにより、回路体における各素子の実装部分を封止して防水する。その上から基板保護用のカバー７０を装着することにより、パワーディストリビュータが完成する。
【図面の簡単な説明】
【００６９】
【図１】本発明が適用されたパワーディストリビュータを示す斜視図である。
【図２】前記パワーディストリビュータの平面図である。
【図３】前記パワーディストリビュータの側面図である。
【図４】図２のＡ−Ａ線断面図である。
【図５】前記パワーディストリビュータにおけるバスバーの配列を示す平面図である。
【図６】（ａ）は前記バスバーに対するコネクタ端子の接続構造を示す断面図、（ｂ）はその底面図である。
【図７】（ａ）は前記バスバーの貫通孔と制御回路基板の貫通孔の双方にコネクタ端子を圧入する例を示す平面図、（ｂ）は（ａ）のＢ−Ｂ線断面図、（ｃ）は制御回路基板の貫通孔のみにコネクタ端子を圧入する例を示す断面図である。
【符号の説明】
【００７０】
１０    放熱板
２０    ケース本体
３０    回路基板
３２    バスバー層
３２Ａ    入力用バスバー
３２Ｂ    出力用バスバー
３２Ｃ    基板接続用バスバー
３２ａ，３２ｈ  貫通孔
３４    制御回路基板
３４ａ  端子挿通孔
３４ｈ  貫通孔
３４ｔ    スルーホール接続部
４０    リレースイッチ素子
５０    電源入力用コネクタ
６０    外部接続用コネクタ
５２，６２    コネクタ端子
６２ａ    圧入部
６２ｃ    圧入部の頂点部分
【図１】
2005080354.tif 000003
【図２】
2005080354.tif 000004
【図３】
2005080354.tif 000005
【図４】
2005080354.tif 000006
【図５】
2005080354.tif 000007
【図６】
2005080354.tif 000008
【図７】
2005080354.tif 000009